(57)【要約】【課題】コンソールリッドの開閉操作時に、回動とスライド移動とが同時に発現して操作性を向上させる。【解決手段】コンソールリッド２０は、コンソール本体１０に対して回転可能に支持された回転ベース部材２１と、回転ベース部材２１に対してスライド機構４４を介してスライド移動可能に配設されたスライド部材３０とから構成される。ギア式連係機構５０は、コンソール本体１０に固定された固定ギア５１と、回転ベース部材２１に配設されてスライド機構４４に連係する回転ギア５２と、回転ベース部材２１に配設されて固定ギア５１および回転ギア５２に連係する中間ギア５３(５３Ａ,５３Ｂ)とを備える。中間ギア５３(５３Ａ,５３Ｂ)は、コンソールリッド２０の開放動作時に固定ギア５１の外周に沿って移動しながら回転する。【選択図】図４
2008290543.tif 000002
【特許請求の範囲】
【請求項１】
物品収納部を画成したコンソール本体の上部にコンソールリッドを配設して、該物品収納部を開閉するコンソールリッドの開閉構造であって、
前記コンソールリッドを構成し、前記コンソール本体に対して回転可能に支持された回転ベース部材と、
前記コンソールリッドを構成し、前記回転ベース部材に対してスライド機構を介してスライド移動可能に配設されたスライド部材と、
前記コンソール本体に固定された固定ギアと、
前記回転ベース部材に配設され、前記スライド機構に連係する回転ギアと、
前記回転ベース部材に配設されて前記固定ギアおよび前記回転ギアに連係し、前記コンソールリッドの開放動作時に固定ギアの外周に沿って移動しながら回転する中間ギアとを備えた
ことを特徴とするコンソールリッドの開閉構造。
【請求項２】
前記スライド機構は、前記回転ベース部材に回転自在に配設されたピニオンギアと、前記スライド部材に配設されて前記ピニオンギアに噛合するラックギアとからなり、前記ピニオンギアに前記回転ギアが連係される請求項１記載のコンソールリッドの開閉構造。
【請求項３】
物品収納部を画成したコンソール本体の上部にコンソールリッドを配設して、該物品収納部を開閉するコンソールリッドの開閉構造であって、
前記コンソールリッドを構成し、前記コンソール本体に対して回転可能に支持された回転ベース部材と、
前記コンソールリッドを構成し、前記回転ベース部材に対してスライド機構を介してスライド移動可能に配設されたスライド部材と、
前記コンソール本体に固定されたベルト巻掛体と、
前記回転ベース部材に配設され、前記スライド機構に連係する回転プーリと、
前記ベルト巻掛体および前記回転プーリに巻掛けられたベルトとを備えた
ことを特徴とするコンソールリッドの開閉構造。
【請求項４】
前記スライド機構は、前記回転ベース部材に回転自在に配設されたピニオンギアと、前記スライド部材に配設されて前記ピニオンギアに噛合するラックギアとからなり、前記ピニオンギアに前記回転プーリが連係される請求項３記載のコンソールリッドの開閉構造。
【発明の詳細な説明】
【技術分野】
【０００１】
本発明は、コンソールリッドの開閉構造に関し、更に詳細には、コンソール本体の上部に配設され、前記コンソール本体に画成した物品収納部を開閉するコンソールリッドの開閉構造に関するものである。
【背景技術】
【０００２】
セダンタイプやステーションワゴンタイプ等の自動車の多くには、車内における前部座席間(運転席と助手席との間)のフロアに、フロアコンソールが設置されている。このフロアコンソールは、インジェクション成形部材である合成樹脂製のコンソール本体を主体とし、このコンソール本体には上方へ開口する物品収納部が設けられており、物品を出し入れ可能に収納し得るようになっている。そして、コンソール本体の上部には、物品収納部の上部開口部を開閉するコンソールリッドが配設されており、このコンソールリッドを姿勢変位させることで物品収納部の上部開口部を開閉することができる。
【０００３】
コンソールリッドの開閉構造に関しては、様々な形態が提案されると共に実用化されており、(ａ)回動タイプ、(ｂ)スライドタイプ、(ｃ)回動スライドタイプ等が実用化されている。(ａ)の回動タイプは、例えばヒンジ部材等からなる回動連結機構により、コンソールリッドをコンソール本体に回動可能に配設した開閉構造である。(ｂ)のスライドタイプは、ガイドピンおよびガイドレール等からなるスライド機構により、コンソールリッドがコンソール本体に対してスライド移動可能に配設された開閉構造である。(ｃ)の回動スライドタイプは、前述した回動連結機構およびスライド機構の両方を具備し、コンソールリッドがコンソール本体に対して回動およびスライド移動可能に配設された開閉構造である。この回動スライドタイプの開閉構造を備えたフロアコンソールは、例えば特許文献１に開示されている。
【特許文献１】特開２００６−１５１２９３号公報
【発明の開示】
【発明が解決しようとする課題】
【０００４】
ところで、特許文献１に開示のコンソールリッドの開閉構造では、蓋体(コンソールリッド)を全閉位置から全開位置へ開放させる場合は、先ず蓋体を後方へ略水平にスライド移動させ、次いで該蓋体を後方へ回動するよう構成されている。また、蓋体を全開位置から全閉位置へ閉成させる場合は、先ず蓋体を傾斜状態から水平状態まで回動させ、次いで該蓋体を前方へスライド移動することで行なわれる。すなわち、蓋体の開放操作および閉成操作は、何れもスライド移動と回動との２アクションからなる動作により実現されるようになっており、蓋体の開閉操作をスムーズを行ない得るとは云えない。
【０００５】
また、蓋体のスムーズな開閉動作を補助するため、ボックス本体(コンソール本体)にガイド溝を設けると共に、蓋体の底面には、ガイド溝に係合するガイドピンが配設されたガイドアームが延出している。このため、蓋体を全開位置に開放させた際には、これらガイド溝およびガイドアームが外方へ露出してしまい、見栄えがよくない等の欠点も指摘できる。
【０００６】
そこで本発明では、前述した従来の技術に内在している課題に鑑み、これを好適に解決するべく提案されたものであって、コンソールリッドの開閉操作時に回動とスライド移動とが同時に発現されて操作性が向上すると共に、開放時に見栄えが悪くならないようにしたコンソールリッドの開閉構造を提供することを目的とする。
【課題を解決するための手段】
【０００７】
前記課題を解決し、所期の目的を達成するため、請求項１に記載の発明は、物品収納部を画成したコンソール本体の上部にコンソールリッドを配設して、該物品収納部を開閉するコンソールリッドの開閉構造であって、
前記コンソールリッドを構成し、前記コンソール本体に対して回転可能に支持された回転ベース部材と、
前記コンソールリッドを構成し、前記回転ベース部材に対してスライド機構を介してスライド移動可能に配設されたスライド部材と、
前記コンソール本体に固定された固定ギアと、
前記回転ベース部材に配設され、前記スライド機構に連係する回転ギアと、
前記回転ベース部材に配設されて前記固定ギアおよび前記回転ギアに連係し、前記コンソールリッドの開放動作時に固定ギアの外周に沿って移動しながら回転する中間ギアとを備えたことを要旨とする。
【０００８】
従って、請求項１に係る発明によれば、コンソールリッドの開放操作時および閉成操作時には、固定ギアに連係した中間ギアの回転に伴って回転ギアが回転し、該回転ギアの回転に伴ってスライド機構が作動する。すなわち、コンソール本体に対する回転ベース部材の回転と、該回転ベース部材に対するスライド部材のスライド移動とが同時に発現するため、１アクションの動作によりコンソールリッドの開閉操作をスムーズに行ない得る。
【０００９】
請求項２に記載の発明は、前記スライド機構は、前記回転ベース部材に回転自在に配設されたピニオンギアと、前記スライド部材に配設されて前記ピニオンギアに噛合するラックギアとからなり、前記ピニオンギアに前記回転ギアが連係されることを要旨とする。
従って、請求項２に係る発明によれば、回転ギアを回転させることでピニオンギアを回転させてスライド部材を確実にスライド移動させると共に、回転ギアを停止させることでピニオンギアを停止させてスライド部材を停止保持し得る。
【００１０】
請求項３に記載の発明は、物品収納部を画成したコンソール本体の上部にコンソールリッドを配設して、該物品収納部を開閉するコンソールリッドの開閉構造であって、
前記コンソールリッドを構成し、前記コンソール本体に対して回転可能に支持された回転ベース部材と、
前記コンソールリッドを構成し、前記回転ベース部材に対してスライド機構を介してスライド移動可能に配設されたスライド部材と、
前記コンソール本体に固定されたベルト巻掛体と、
前記回転ベース部材に配設され、前記スライド機構に連係する回転プーリと、
前記ベルト巻掛体および前記回転プーリに巻掛けられたベルトとを備えたことを要旨とする。
【００１１】
従って、請求項３に係る発明によれば、コンソールリッドの開放操作時および閉成操作時には、コンソール本体に対する回転ベース部材の回転と、該回転ベース部材に対するスライド部材のスライド移動とが同時に発現するため、１アクションの動作によりコンソールリッドの開閉操作をスムーズに行ない得る。
【００１２】
請求項４に記載の発明は、前記スライド機構は、前記回転ベース部材に回転自在に配設されたピニオンギアと、前記スライド部材に配設されて前記ピニオンギアに噛合するラックギアとからなり、前記ピニオンギアに前記回転プーリが連係されることを要旨とする。
従って、請求項４に係る発明によれば、回転プーリを回転させることでピニオンギアを回転させてスライド部材を確実にスライド移動させると共に、回転プーリを停止させることでピニオンギアを停止させてスライド部材を停止保持し得る。
【発明の効果】
【００１３】
本発明に係るコンソールリッドの開閉構造によれば、コンソールリッドの開閉操作時に回転とスライド移動とが同時に発現されて操作性が向上すると共に、開放時に見栄えが悪くなることを防止し得る。
【発明を実施するための最良の形態】
【００１４】
次に、本発明に係るコンソールリッドの開閉構造につき、好適な実施例を挙げて、添付図面を参照しながら以下説明する。各実施例では、車両乗員室内のフロアに設置させるフロアコンソールに、コンソールリッドの開閉構造を実施した場合について説明する。なお実施例では、図１の左右方向が車両の前後方向であるので、これに合わせて図１の左右方向をフロアコンソールの前後方向(左方向が前側)とし、この前後方向に対して交差する方向(図２の左右方向)を、コンソールリッドの左右方向(人が乗車して左方向が左側)とする。
【実施例１】
【００１５】
図１は、実施例１に係るコンソールリッドの開閉構造を備えたフロアコンソールを、コンソールリッドを全閉位置に保持した状態で一部破断して示した部分側面図である。実施例１のフロアコンソールＦＣは、上方に開口する物品収納部１３を画成したコンソール本体１０と、該コンソール本体１０の上部に配設され、物品収納部１３の上部開口部１３Ａを開閉するよう配設されたコンソールリッド２０とを備えている。コンソールリッド２０は、物品収納部１３の上部開口部１３Ａを全面的に閉成する全閉位置(図１)と、上部開口部１３Ａを全面的に開放する全開位置(図６)とに姿勢変位するよう構成されている。
【００１６】
コンソール本体１０は、例えばポリプロピレン(ＰＰ)等の合成樹脂素材からインジェクション成形された合成樹脂製の成形部材であって、図１に示すように、外部意匠面を形成するアウター部材１１と、このアウター部材１１の内部後側部分に収容設置されて前述した物品収納部１３を形成したインナー部材１２とを有する。そして、コンソール本体１０の図示省略した前側部分は、チェンジレバーやドリンクホルダ等の配設部位とされ、前端部分が図示しないインストルメントパネルの中央下部に連結される。また、物品収納部１３の上部開口部１３Ａの周囲が、全閉位置に臨んだコンソールリッド２０のリッド載置面１４となる。なお、インナー部材１２の開口部が、前述した上部開口部１３Ａとなる。また、インナー部材１２の後方支持部１５が、コンソールリッド２０を枢支するリッド枢支軸４１が貫通して固定される支持部として機能する。
【００１７】
コンソールリッド２０は、図１〜図４に示すように、前述したリッド載置面１４に整合して、物品収納部１３の上部開口部１３Ａを全閉し得る形状・サイズとされる。このコンソールリッド２０は、コンソール本体１０に対して回転可能に支持される回転ベース部材２１と、この回転ベース部材２１に対してスライド移動可能に支持されるスライド部材３０とから構成される。
【００１８】
回転ベース部材２１は、ポリプロピレン(ＰＰ)等の合成樹脂素材からインジェクション成形され、上部開口部１３Ａに臨む矩形板状の支持体２５と、この支持体２５に設けられてコンソール本体１０に対して回転可能に支持される第１支持アーム２３および第２支持アーム２４とを備える。支持体２５の大きさは、コンソールリッド２０の真上から見た場合に、スライド部材３０の約半分程度となっている。そして、回転ベース部材２１の左側端および右側端には、該回転ベース部材２１の前後方向に延在するガイド溝２２,２２が、スライド部材３０に設けた後述のガイドレール３４,３４に臨むように設けられている。第１支持アーム２３および第２支持アーム２４は、支持体２５における左右両端の後方側に設けられて、後方かつ下方へ延出する円弧状に形成されている。これら第１支持アーム２３および第２支持アーム２４は、後述する回転連結機構４０の構成部材をなしている。
【００１９】
回転ベース部材２１は、回転連結機構４０を介して、コンソール本体１０の後側部分に対して回転可能に配設されている。この回転連結機構４０は、前述した第１支持アーム２３および第２支持アーム２４と、コンソール本体１０におけるインナー部材１２の後方支持部１５に挿通された状態で固定されるリッド枢支軸４１とから構成される。各々の支持アーム２３,２４の延出端部には、リッド枢支軸４１の挿通を許容する挿通孔２３Ａ,２４Ａが形成されている。そして回転ベース部材２１は、コンソール本体１０に固定されたリッド枢支軸４１を第１支持アーム２３および第２支持アーム２４の挿通孔２３Ａ,２４Ａに貫通させることで、コンソール本体１０に対して回転可能に枢支されている。これにより回転ベース部材２１は、コンソール本体１０のリッド載置面１４に近接した全閉位置(図１)と、約５０度の前上がり傾斜状態となった全開位置(図６)との間で回転可能となっている。なお、回転ベース部材２１の右端後方側に設けられた第１支持アーム２３は、後述する固定ギア５１との干渉を回避する段部２３Ｂが形成されている。また第１支持アーム２３には、基部から段部２３Ｂに亘って延在するギア収容部２３Ｅが上下に開口するように形成されており、このギア収容部２３Ｅ内に後述する中間ギア５３が配設される。
【００２０】
スライド部材３０は、ポリプロピレン(ＰＰ)等の合成樹脂素材からインジェクション成形され、リッド載置面１４に整合して物品収納部１３の上部開口部１３Ａを全面的に覆蓋する大きさに形成された逆トレー状の部材本体３１を主体としている。この部材本体３１の外面(上面)には、ウレタンフォーム等からなる弾力部材３２と、該弾力部材３２を被覆する表皮材３３が配設されている。従ってスライド部材３０は、全閉位置に臨んでいる状態(図１)において、前部座席を利用する乗員のアームレストとしての機能を具有する。但しスライド部材３０は、前述した部材本体３１だけで構成される場合もある。
【００２１】
部材本体３１における左右の各内側面には、図１〜図４に示すように、コンソールリッド２０の前後方向に延在するガイドレール３４,３４が延設されている。そして、これらガイドレール３４,３４は、回転ベース部材２１に形成された前述の左右のガイド溝２２,２２に対応的に摺動可能に挿通されている。従って、ガイドレール３４,３４が対応のガイド溝２２,２２に沿って摺動することで、スライド部材３０が回転ベース部材２１に対して前後方向へスライド移動するよう構成される。
【００２２】
また、部材本体３１の前端部には、図１、図３および図４に示すように、陥凹部３５が設けられており、この陥凹部３５にはロック解除レバー３６が配設されている。このロック解除レバー３６は、部材本体３１に対して支軸３６Ａにより回動可能に配設され、前方へ延出した指掛部３６Ｂと、下方へ延出した係止部３６Ｃとを有している。この係止部３６Ｃは、コンソールリッド２０が全閉位置に臨んだ際に、コンソール本体１０のリッド載置面１４に設けた被係止部１６に突入係止されて、該コンソールリッド２０を全閉位置にロックするよう機能する。また係止部３６Ｃは、指掛部３６Ｂを上方へ引き上げてロック解除レバー３６を操作すると被係止部１６に対する係止が解除され、コンソールリッド２０の開放を許容するよう構成されている。
【００２３】
前述したスライド部材３０は、スライド機構４４により、回転ベース部材２１に対してスライド移動する。このスライド機構４４は、回転ベース部材２１の上面に回転自在に配設された平歯車状のピニオンギア４５と、スライド部材３０における部材本体３１の右側内側面に配設されて、該ピニオンギア４５に噛合したラックギア４６とから構成されている。ピニオンギア４５は、回転ベース部材２１の上面に垂直に立設された回転支持軸４７に枢支され、該回転ベース部材２１の上面で回転可能となっている。ラックギア４６は、部材本体３１の右側内側面において、コンソールリッド２０の前後方向(ガイドレール３４の長手方向)へ延在するように配設されている。従ってピニオンギア４５は、スライド部材３０が回転ベース部材２１に沿ってスライド移動する際に、常にラックギア４６に噛合しながら回転するようになっている。換言すると、ピニオンギア４５を回転させることで、回転ベース部材２１に対してスライド部材３０をスライド移動させ得ると共に、該ピニオンギア４５を停止することで、回転ベース部材２１に対してスライド部材３０を停止保持させ得る。なお、ピニオンギア４５は後述する回転ギア５２と連係されており、回転ギア５２が回転することでピニオンギア４５が回転するよう構成されている。
【００２４】
実施例１のコンソールリッドの開閉構造では、図１〜図４に示すように、回転連結機構４０とスライド機構４４とを連係するギア式連係機構５０を備えている。このギア式連係機構５０は、コンソール本体１０に配設された固定ギア５１と、コンソールリッド２０に配設された回転ギア５２と、第１支持アーム２３に配設されて固定ギア５１および回転ギア５２を連係する中間ギア５３とから構成されている。なお、実施例１におけるギア式連係機構５０は、図１等に示すように、２個の中間ギアを備えており、以下の説明においては、固定ギア５１に噛合する下側の中間ギアを第１中間ギア５３Ａ、回転ギア５２に噛合する上側の中間ギアを第２中間ギア５３Ｂと指称する。
【００２５】
固定ギア５１は、扇形状に形成されて、第１中間ギア５３Ａと噛合する歯部が円弧外周面に形成されていると共に、リッド枢支軸４１を挿通する挿通孔５１Ａが円弧中心に形成されている。この固定ギア５１は、図１および図４に示すように、挿通孔５１Ａに挿通させたリッド枢支軸４１に対し、第１支持アーム２３の段部２３Ｂに臨む位置において、歯部を前方側から上方側に臨ませた姿勢で回転不能に固定されている。すなわち、コンソールリッド２０の開閉により、固定ギア５１と第１支持アーム２３との相対位置が変化するよう構成されている。そして、コンソールリッド２０が全閉位置にある状態では、第１支持アーム２３に形成された第１開口２３Ｃが固定ギア５１の歯部の前端部近傍に位置し(図１)、コンソールリッド２０が開放動作する際には第１開口２３Ｃが歯部に沿って後方へ移動し(図５)、コンソールリッド２０が全開位置に到来すると第１開口２３Ｃが歯部の後端部近傍に位置する(図６)よう構成されている。
【００２６】
回転ギア５２は、外周面全体に歯部が形成された円盤状部材であって、回転ベース部材２１の支持体２５の底部に設けた軸受部５５に水平状態で回転可能に支持された回転軸５６の端部に取付けられている。従って回転ギア５２は、第１支持アーム２３の基部に設けた第２開口２３Ｄに、歯部を臨ませた位置に配置されている。
【００２７】
また、回転軸５６の他方の端部には、かさ歯車からなる第１連係ギア５７が配設されている。この第１連係ギア５７は、ピニオンギア４５の下面に固定されたかさ歯車からなる第２連係ギア５８に噛合するよう構成されている。すなわち、回転ギア５２とピニオンギア４５とは、第１連係ギア５７および第２連係ギア５８を介して連係されており、回転ギア５２が図１において時計方向へ回転するとピニオンギア４５は図３において時計方向へ回転し、回転ギア５２が図１において反時計方向へ回転するとピニオンギア４５は図３において反時計方向へ回転する。
【００２８】
第１中間ギア５３Ａおよび第２中間ギア５３Ｂは、第１支持アーム２３のギア収容部２３Ｅに所要間隔で立設した支軸５４,５４に、互いに噛合した状態で夫々回転自在に取付けられている。第１中間ギア５３Ａは、歯部の一部を第１開口２３Ｃを介して段部２３Ｂに臨ませた状態で配設され、固定ギア５１と噛合している。第２中間ギア５３Ｂは、歯部の一部を第２開口２３Ｄに臨ませた状態で配設され、回転ギア５２と噛合している。なお第１支持アーム２３には、ギア収容部２３Ｅを覆蓋するカバー(図示せず)が配設され、ギア収容部２３Ｅに配設した第１中間ギア５３Ａおよび第２中間ギア５３Ｂが被覆されるようになっている。
【００２９】
フロアコンソールＦＣに配設されたギア式連係機構５０は、コンソールリッド２０が全閉位置にある状態では、図１に示すように、第１支持アーム２３の第１開口２３Ｃが固定ギア５１の歯部の前端部近傍に位置するので、第１中間ギア５３Ａが固定ギア５１の歯部の前端部近傍に噛合している。そして、コンソールリッド２０の開放動作時には、図５に示すように、各支持アーム２３,２４がリッド枢支軸４１に対して後方側(図１において時計方向)へ回転するので、第１支持アーム２３に配設された第１中間ギア５３Ａは、図５において時計方向へ回転しながら、固定ギア５１の外周に沿って後方へ移動する。このとき、第１中間ギア５３Ａに噛合した第２中間ギア５３Ｂは図５において反時計方向へ回転し、第２中間ギア５３Ｂに噛合した回転ギア５２は図５において時計方向へ回転する。そして、回転ギア５２が時計方向へ回転することに伴い、前述したようにピニオンギア４５が図３において時計方向へ回転する。従って、実施例１のコンソールリッドの開閉構造では、全閉位置に臨んでいるコンソールリッド２０を全開位置の方向へ回転させると、スライド機構４４のピニオンギア４５が図３において時計方向へ回転するので、スライド部材３０は、回転ベース部材２１に対して図３の右方向、すなわちコンソール本体１０の後方側へスライド移動する。なお、コンソールリッド２０が全開位置に臨んだ際には、図６に示すように、スライド部材３０が回転ベース部材２１に対して後方側へ所要量(例えば１００ｍｍ程度)スライド移動する。
【００３０】
またギア式連係機構５０は、コンソールリッド２０が全開位置にある状態では、図６に示すように、第１支持アーム２３の第１開口２３Ｃが固定ギア５１の歯部の後端部近傍に位置するので、第１中間ギア５３Ａが固定ギア５１の歯部の後端部近傍に噛合している。そして、コンソールリッド２０の閉成動作時には、各支持アーム２３,２４がリッド枢支軸４１に対して前方側(図５において反時計方向)へ回転するので、第１支持アーム２３に配設された第１中間ギア５３Ａは、図６において反時計方向へ回転しながら、固定ギア５１の外周に沿って前方へ移動する。このとき、第１中間ギア５３Ａに噛合した第２中間ギア５３Ｂは図６において時計方向へ回転し、第２中間ギア５３Ｂに噛合した回転ギア５２は図６において反時計方向へ回転する。そして、回転ギア５２が反時計方向へ回転することに伴い、前述したようにピニオンギア４５が図３において反時計方向へ回転する。従って、実施例１のコンソールリッドの開閉構造では、全開位置に臨んでいるコンソールリッド２０を全閉位置の方向へ回転させると、スライド機構４４のピニオンギア４５が図３において反時計方向へ回転するので、スライド部材３０は、回転ベース部材２１に対して図３の左方向、すなわちコンソール本体１０の前方側へスライド移動する。
【００３１】
従って、実施例１のコンソールリッドの開閉構造によれば、次のような作用効果を奏する。先ず、スライド機構４４のピニオンギア４５が、ギア式連係機構５０によりコンソールリッド２０の開閉操作に連動するように連係されているので、コンソールリッド２０の開放操作時には、コンソール本体１０に対する回転ベース部材２１の回転と、該回転ベース部材２１に対するスライド部材３０のスライド移動とが同時に発現するので、１アクションの動作によりコンソールリッド２０の開放操作が円滑になされる。また、コンソールリッド２０の閉成操作時においても、コンソール本体１０に対する回転ベース部材２１の回転と、該回転ベース部材２１に対するスライド部材３０のスライド移動とが同時に発現するので、１アクションの動作によりコンソールリッド２０の閉成操作が円滑になされる。またギア式連係機構５０は、固定ギア５１および回転ギア５２と、これら固定ギア５１と回転ギア５２とに噛合される第１および第２中間ギア５３Ａ,５３Ｂとからなる構成で実現されるため、コンソール本体１０に対する回転ベース部材２１の回転と、該回転ベース部材２１に対するスライド部材３０のスライド移動とを適切に連動させ得る。
【００３２】
また、固定ギア５１および回転ギア５２がコンソール本体１０内およびコンソールリッド２０内に夫々配設されると共に、第１中間ギア５３Ａおよび第２中間ギア５３Ｂが第１支持アーム２３内に配設されている。従って、ギア式連係機構５０の各構成部材がフロアコンソールＦＣの外部に露出しないので、コンソールリッド２０を全開位置に臨ませた際に見栄えが悪くなることもない。またスライド機構４４は、互いに噛合するピニオンギア４５およびラックギア４６から構成されており、更にピニオンギア４５に連係する回転ギア５２は、第１中間ギア５３Ａおよび第２中間ギア５３Ｂを介して固定ギア５１に連係されている。すなわち、ピニオンギア４５の回転は、回転ギア５２が回転する場合にのみ許容される。従って、コンソールリッド２０の開閉動作により回転ギア５２が回転する場合には、ピニオンギア４５の回転によりスライド部材３０を回転ベース部材２１に対して確実にスライド移動することができる一方で、コンソールリッド２０の開閉動作を停止した場合には、回転ギア５２の回転が停止することによりピニオンギア４５が回転規制され、該スライド部材３０を回転ベース部材２１に対して確実に停止保持できる。これにより、全開位置に臨んだコンソールリッド２０が前上がりの傾斜状態となっていても、回転ベース部材２１に対してスライド部材３０を適切に保持し得る。
【実施例２】
【００３３】
図７は、実施例２に係るコンソールリッドの開閉構造を備えたフロアコンソールを、コンソールリッドを全閉位置に保持した状態で一部破断して示した部分側面図である。実施例２に係るコンソールリッドの開閉構造は、コンソール本体１０に対する回転ベース部材２１の回転と、該回転ベース部材２１に対するスライド部材３０のスライド移動とを、ベルト式連係機構６０により連動するよう構成されている。なお、コンソール本体１０、コンソールリッド２０、回転連結機構４０およびスライド機構４４等の基本構成は、前述した実施例１のフロアコンソールＦＣと共通となっている。従って、実施例１のフロアコンソールＦＣと同一の部材、部位に対しては同一の符号を付して説明を省略し、ベルト式連係機構６０について説明する。
【００３４】
実施例２のコンソールリッドの開閉構造におけるベルト式連係機構６０は、コンソール本体１０に配設されたベルト巻掛体６１と、コンソールリッド２０に配設された回転プーリ６２と、これらベルト巻掛体６１および回転プーリ６２に巻掛けられたベルト６３とから構成されている。ベルト６３は、回転ベース部材２１における第２支持アーム(開閉支持部)２４内に配設される。なお第２支持アーム２４には、ベルト巻掛体６１との干渉を回避する段部２４Ｂが形成されていると共に、基部から段部２４Ｂに亘って延在するベルト収容部２４Ｅが上下に開口するように形成されており、このベルト収容部２４Ｅにベルト６３が挿通されるよう構成されている。
【００３５】
ベルト巻掛体６１は、扇形状に形成されて、ベルト６３が巻掛けられるベルト巻掛部が円弧外周面に形成されていると共に、リッド枢支軸４１が挿通する挿通孔６１Ａが円弧中心に形成されている。このベルト巻掛体６１は、図７および図８に示すように、挿通孔６１Ａに挿通させたリッド枢支軸４１に対し、第２支持アーム２４の段部２４Ｂに臨む位置において、ベルト巻掛部を前方側から上方側に臨ませた姿勢で回転不能に固定されている。すなわち、コンソールリッド２０の開閉によりベルト巻掛体６１と第２支持アーム２４との相対位置が変化するよう構成されている。そして、コンソールリッド２０が全閉位置にある状態では、第２支持アーム２４に形成された第１開口２４Ｃがベルト巻掛体６１のベルト巻掛部の前端部に位置し(図７)、コンソールリッド２０が開放動作する際には第１開口２４Ｃがベルト巻掛部に沿って後方へ移動し(図９)、コンソールリッド２０が全開位置に到来すると第１開口２４Ｃがベルト巻掛部の後端部に位置する(図１０)よう構成されている。
【００３６】
回転プーリ６２は、外周面全体にベルト巻掛部が設けられた円盤状部材であって、回転ベース部材２１の支持体２５の底部に設けた軸受部(図示省略)に水平状態で回転可能に支持された回転軸６６の端部に取付けられている。従って回転プーリ６２は、第２支持アーム２４の基部に設けた第２開口２４Ｄに、ベルト巻掛部を臨ませた位置に配置されている。
【００３７】
また、回転軸６６の他方の端部には、実施例１と同様に、かさ歯車からなる第１連係ギア６７が配設されている。この第１連係ギア６７は、ピニオンギア４５の下面に固定されたかさ歯車からなる第２連係ギア６８に噛合するよう構成されている。すなわち、回転プーリ６２とピニオンギア４５とは、第１連係ギア６７および第２連係ギア６８を介して連結されており、回転プーリ６２が図８において反時計方向へ回転するとピニオンギア４５は図８において反時計方向へ回転し、回転プーリ６２が図８において時計方向へ回転するとピニオンギア４５は図８において時計方向へ回転する。
【００３８】
ベルト６３は、所要長の有端ベルトであって、一方の端部(前端部)がベルト巻掛体６１のベルト巻掛部における前端部に固定されると共に、他方の端部(後端部)が該ベルト巻掛部における後端部に固定される。そして、ベルト６３の中間部分が、第２支持アーム２４の第１開口２４Ｃ、ベルト収容部２４Ｅおよび第２開口２４Ｄを介して回転プーリ６２側へ延出し、該回転プーリ６２のベルト巻掛部に巻掛けられている。以下の説明では、ベルト６３において、ベルト巻掛体６１のベルト巻掛部の前端部から回転プーリ６２まで延在する部分を第１ベルト部分６３Ａと指称し、回転プーリ６２からベルト巻掛体６１のベルト巻掛部の後端部まで延在する部分を第２ベルト部分６３Ｂと指称する。なおベルト収容部２４Ｅには、第１ベルト部分６３Ａを案内する第１案内溝６９、第２ベルト部分６３Ｂを案内する第２案内溝７０とが形成されている。また第２支持アーム２４には、ベルト収容部２４Ｅを覆蓋するカバー(図示せず)が配設され、ベルト収容部２４Ｅに収容されたベルト６３が被覆されるようになっている。
【００３９】
フロアコンソールＦＣに配設されたベルト式連係機構６０は、コンソールリッド２０が全閉位置にある状態では、図７に示すように、第２支持アーム２４の第１開口２４Ｃがベルト巻掛体６１のベルト巻掛部の前端部近傍に位置している。従ってベルト６３は、第１ベルト部分６３Ａより第２ベルト部分６３Ｂのほうが長くなっている。そして、コンソールリッド２０の開放動作時には、図９または図１０に示すように、第２支持アーム２４に形成された第１開口２４Ｃは、ベルト巻掛体６１の外周に沿って後方へ移動する。このときベルト６３は、第２支持アーム２４のベルト収容部２４Ｅ内において、第２案内溝７０から第１案内溝６９に移動し、このベルト６３の移動に伴って回転プーリ６２が図９において反時計方向へ回転すると共に、ピニオンギア４５が前述したように図３において時計方向へ回転する。従って、実施例２のコンソールリッドの開閉構造では、全閉位置に臨んでいるコンソールリッド２０を全開位置の方向へ回転させると、ベルト６３の移動分だけ回転プーリ６２が回転し、スライド機構４４のピニオンギア４５が図８において反時計方向へ回転するので、スライド部材３０は、回転ベース部材２１の後方、すなわちコンソール本体１０の後方側へスライド移動する。なお、コンソールリッド２０が全開位置に臨んだ際には、図１０に示すように、スライド部材３０が回転ベース部材２１に対して後方側へ所要量(例えば１００ｍｍ程度)スライド移動する。
【００４０】
またベルト式連係機構６０は、コンソールリッド２０が全開位置にある状態では、図１０に示すように、第２支持アーム２４の第１開口２４Ｃがベルト巻掛体６１のベルト巻掛部の後端部近傍に位置している。従ってベルト６３は、第２ベルト部分６３Ｂより第１ベルト部分６３Ａのほうが長くなっている。そして、コンソールリッド２０の閉成動作時には、第２支持アーム２４に形成された第１開口２４Ｃは、ベルト巻掛体６１の外周に沿って前方へ移動する。このときベルト６３は、第２支持アーム２４のベルト収容部２４Ｅ内において、第１案内溝６９から第２案内溝７０に移動し、このベルト６３の移動に伴って回転プーリ６２が図９において時計方向へ回転すると共に、ピニオンギア４５が前述したように図８において時計方向へ回転する。従って、実施例２のコンソールリッドの開閉構造では、全開位置に臨んでいるコンソールリッド２０を全閉位置の方向へ回転させると、ベルト６３の移動分だけ回転プーリ６２が回転し、スライド機構４４のピニオンギア４５が図８において時計方向へ回転するので、スライド部材３０は、回転ベース部材２１の前方、すなわちコンソール本体１０の前方側へスライド移動する。
【００４１】
従って、実施例２のコンソールリッドの開閉構造によれば、次のような作用効果を奏する。先ず、スライド機構４４のピニオンギア４５が、ベルト式連係機構６０によりコンソールリッド２０の開放操作に連動するように連係されているので、コンソールリッド２０の開放操作時には、コンソール本体１０に対する回転ベース部材２１の回転と、該回転ベース部材２１に対するスライド部材３０のスライド移動とが同時に発現するので、１アクションの動作によりコンソールリッド２０の開放操作が円滑になされる。また、コンソールリッド２０の閉成操作時においても、コンソール本体１０に対する回転ベース部材２１の回転と、該回転ベース部材２１に対するスライド部材３０のスライド移動とが同時に発現するので、１アクションの動作によりコンソールリッド２０の閉成操作が円滑になされる。
【００４２】
また、ベルト巻掛体６１および回転プーリ６２がコンソール本体１０内およびコンソールリッド２０内に夫々配設されると共に、ベルト６３が第２支持アーム２４内に配設されている。従って、ベルト式連係機構６０の各構成部材がフロアコンソールＦＣの外部に露出しないので、コンソールリッド２０を全開位置に臨ませた際に見栄えが悪くなることもない。またスライド機構４４は、互いに噛合するピニオンギア４５およびラックギア４６から構成されており、更にピニオンギア４５に連係する回転プーリ６２は、ベルト６３を介してベルト巻掛体６１に連係されている。すなわち、ピニオンギア４５の回転は、回転プーリ６２が回転する場合にのみ許容される。従って、コンソールリッド２０の開閉動作により回転プーリ６２が回転する場合には、ピニオンギア４５の回転によりスライド部材３０を回転ベース部材２１に対して確実にスライド移動することができる一方で、コンソールリッド２０の開閉動作を停止した場合には、回転プーリ６２の回転が停止することによりピニオンギア４５が回転規制され、該スライド部材３０を回転ベース部材２１に対して確実に停止保持できる。これにより、全開位置に臨んだコンソールリッド２０が前上がりの傾斜状態となっていても、回転ベース部材２１に対してスライド部材３０を適切に保持し得る。
【００４３】
実施例１では、固定ギア５１と回転プーリ６２とを連係する中間ギアを、第１中間ギア５３Ａおよび第２中間ギア５３Ｂからなる２個で構成した場合を例示したが、この中間ギアの配設数はこれに限定されず、１個または３個以上で構成してもよい。また中間ギアは、第２支持アーム２４内に配設するようにしてもよい。
【００４４】
実施例１では、回転ギア５２とピニオンギア４５とを、第１連係ギア５７および第２連係ギア５８を介して連係するようにしたが、これら回転ギア５２とピニオンギア４５とを直結するよう構成することも可能である。例えば、図１１に示すように、ピニオンギア４５の回転ギア５２を指向する下端面に、該回転ギア５２の歯部と噛合する歯部７１を円弧状に設け、回転ギア５２の回転をピニオンギア４５に直接伝達するようにしてもよい。
【００４５】
実施例２では、ベルト巻掛体６１を扇形状としたが、該ベルト巻掛体６１は円盤状部材としてもよい。また、ベルト巻掛体６１および回転プーリ６２を第１支持アーム２３に隣接した位置に設け、ベルト６３を第１支持アーム２３内に配設するようにしてもよい。
【００４６】
実施例２では、回転プーリ６２とピニオンギア４５とを、第１連係ギア６７および第２連係ギア６８を介して連係するようにしたが、これら回転プーリ６２とピニオンギア４５とを直結するよう構成することも可能である。例えば図１２に示すように、ベルト６３が撓曲性に優れている場合には、ピニオンギア４５の下端面に回転プーリ６２を直接固定し、ベルト６３を延長させて該回転プーリ６２に巻き掛けるようにしてもよい。なお、図１２では、第１支持アーム２３にベルト６３を配設した場合を例示している。
【００４７】
前述した各実施例では、コンソールリッド２０がコンソール本体１０の後方側へ開放する形態のフロアコンソールを例示したが、本願が対象とするフロアコンソールの開閉構造は、コンソールリッド２０がコンソール本体１０の前方側へ開放する形態のフロアコンソールや、コンソールリッド２０がコンソール本体１０の横方向(右側または左側)へ開放する形態のフロアコンソールも含まれる。
【図面の簡単な説明】
【００４８】
【図１】実施例１に係るコンソールリッドの開閉構造を備えたフロアコンソールを、コンソールリッドを全閉位置に保持した状態で一部破断して示した部分側面図である。
【図２】図１のII−II線断面図である。
【図３】図１のIII−III線断面図である。
【図４】回転連結機構、スライド機構およびギア式連係機構を概略的に示した斜視図である。
【図５】図１に示したフロアコンソールを、コンソールリッドの開放途中状態で一部破断して示した部分側面図である。
【図６】図１に示したフロアコンソールを、コンソールリッドが全開位置に到来した状態で一部破断して示した部分側面図である。
【図７】実施例２に係るコンソールリッドの開閉構造を備えたフロアコンソールを、コンソールリッドを全閉位置に保持した状態で一部破断して示した部分側面図である。
【図８】回転連結機構、スライド機構およびベルト式連係機構を概略的に示した斜視図である。
【図９】図７に示したフロアコンソールを、コンソールリッドの開放途中状態で一部破断して示した部分側面図である。
【図１０】図７に示したフロアコンソールを、コンソールリッドが全開位置に到来した状態で一部破断して示した部分側面図である。
【図１１】実施例１の変更例に係るコンソールリッドの開閉構造を示した斜視図である。
【図１２】実施例２の変更例に係るコンソールリッドの開閉構造を示した斜視図である。
【符号の説明】
【００４９】
１０ コンソール本体，１３ 物品収納部，２０ コンソールリッド，２１ 回転ベース部材
３０ スライド部材，４４ スライド機構，４５ ピニオンギア，４６ ラックギア
５１ 固定ギア，５２ 回転ギア，５３ 中間ギア，６１ ベルト巻掛体，６２ 回転プーリ
６３ ベルト
【図１】
2008290543.tif 000003
【図２】
2008290543.tif 000004
【図３】
2008290543.tif 000005
【図４】
2008290543.tif 000006
【図５】
2008290543.tif 000007
【図６】
2008290543.tif 000008
【図７】
2008290543.tif 000009
【図８】
2008290543.tif 000010
【図９】
2008290543.tif 000011
【図１０】
2008290543.tif 000012
【図１１】
2008290543.tif 000013
【図１２】
2008290543.tif 000014